【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
可変減衰器において、
該可変減衰器の入力端子と出力端子との間に結合されている第１の可変抵抗回路であって、
２つの第１の抵抗器および第１のスイッチを含む第１の電流路であって、前記２つの第１の抵抗器は前記入力端子と前記出力端子との間で互いに直列に結合されており、前記第１のスイッチは前記２つの第１の抵抗器のうちの一方に跨るように結合されている第１のチャネルを有する、前記第１の電流路と、
第２のチャネルと、前記入力端子に結合されている第１の導電端子と、前記出力端子に結合されている第２の導電端子とを有する第２のスイッチを含む第２の電流路と、
前記入力端子に結合されている第１の端子、および前記出力端子に結合されている第２の端子を有する第２の抵抗器を含む第３の電流路とを含む、前記第１の可変抵抗回路と、
前記入力端子に結合されている第１の端子、および中間ノードに結合されている第２の端子を有する第３の抵抗器と、
前記出力端子に結合されている第１の端子、および前記中間ノードに結合されている第２の端子を有する第４の抵抗器と、
前記中間ノードと電圧基準端子との間に結合されている第２の可変抵抗回路と、を備える、可変減衰器。
【請求項２】
前記第１のスイッチの制御端子に第１の制御信号を提供するため、および前記第２のスイッチの制御端子に第２の制御信号を提供するためのスイッチ制御回路をさらに備えており、前記第１の制御信号および前記第２の制御信号は前記第１のチャネルおよび前記第２のチャネルの導電性と、前記第１の可変抵抗回路の実効抵抗と、前記可変減衰器によって提供される減衰レベルとに影響を与える、請求項１に記載の可変減衰器。
【請求項３】
前記スイッチ制御回路が、前記第１のチャネルおよび前記第２のチャネルを実質的に導電性にするように前記第１の制御信号および前記第２の制御信号を提供するときに、第１の減衰レベルだけ、前記入力端子において提供される入力信号を減衰させ、
前記スイッチ制御回路が、前記第１のチャネルを実質的に導電性にするように前記第１の制御信号を提供し、前記第２のチャネルを実質的に非導電性にするように前記第２の制御信号を提供するときに、前記第１の減衰レベルよりも大きい第２の減衰レベルだけ、前記入力信号を減衰させ、
前記スイッチ制御回路が、前記第１のチャネルおよび前記第２のチャネルを実質的に非導電性にするように前記第１の制御信号および前記第２の制御信号を提供するときに、前記第２の減衰レベルよりも大きい第３の減衰レベルだけ、前記入力信号を減衰させるように構成される、請求項２に記載の可変減衰器。
【請求項４】
前記第２の可変抵抗回路は、
前記中間ノードと前記電圧基準端子との間に結合されている第４の電流路であって、第３のチャネルと、前記入力端子に結合されている第１の導電端子と、前記出力端子に結合されている第２の導電端子とを有する第３のスイッチと直列に結合されている第５の抵抗器を含む、前記第４の電流路と、
前記中間ノードと前記電圧基準端子との間に結合されている第５の電流路であって、第４のチャネルと、前記入力端子に結合されている第１の導電端子と、前記出力端子に結合されている第２の導電端子とを有する第４のスイッチと直列に結合されている第６の抵抗器を含む、前記第５の電流路と、
前記中間ノードと前記電圧基準端子との間に結合されている第６の電流路であって、第５のチャネルと、前記入力端子に結合されている第１の導電端子と、前記出力端子に結合
されている第２の導電端子とを有する第５のスイッチと直列に結合されている第７の抵抗器を含む、前記第６の電流路と、を備える、請求項１に記載の可変減衰器。
【請求項５】
前記第１のチャネル、前記第２のチャネル、前記第３のチャネル、前記第４のチャネル、および前記第５のチャネルの導電性と、前記第１の可変抵抗回路と、前記第２の可変抵抗回路の実効抵抗と、前記可変減衰器によって提供される減衰レベルとを調整するために、前記第１のスイッチの制御端子に対する第１の制御信号と、前記第２のスイッチの制御端子に対する第２の制御信号と、前記第３のスイッチの制御端子に対する第３の制御信号と、前記第４のスイッチの制御端子に対する第４の制御信号と、前記第５のスイッチの制御端子に対する第５の制御信号を提供するためのスイッチ制御回路と、をさらに備える、請求項４に記載の可変減衰器。
【請求項６】
前記スイッチ制御回路が、前記第１のチャネルおよび前記第２のチャネルを実質的に導電性にするように前記第１の制御信号および前記第２の制御信号を提供し、前記第３のチャネル、前記第４のチャネル、および前記第５のチャネルを実質的に非導電性にするように前記第３の制御信号、前記第４の制御信号、および前記第５の制御信号を提供するときに、第１の減衰レベルだけ、前記入力端子において提供される入力信号を減衰させ、
前記スイッチ制御回路が、前記第１のチャネルおよび前記第３のチャネルを実質的に導電性にするように前記第１の制御信号および前記第３の制御信号を提供し、前記第２のチャネル、前記第４のチャネル、および前記第５のチャネルを実質的に非導電性にするように前記第２の制御信号、前記第４の制御信号、および前記第５の制御信号を提供するときに、前記第１の減衰レベルよりも大きい第２の減衰レベルだけ、前記入力信号を減衰させ、
前記スイッチ制御回路が、前記第１のチャネル、前記第３のチャネル、および前記第４のチャネルを実質的に導電性にするように前記第１の制御信号、前記第３の制御信号、および前記第４の制御信号を提供し、前記第２のチャネルおよび前記第５のチャネルを実質的に非導電性にするように前記第２の制御信号および前記第５の制御信号を提供するときに、前記第２の減衰レベルよりも大きい第３の減衰レベルだけ、前記入力信号を減衰させ、
前記スイッチ制御回路が、前記第１のチャネルおよび前記第２のチャネルを実質的に非導電性にするように前記第１の制御信号および前記第２の制御信号を提供し、前記第３のチャネル、前記第４のチャネル、および前記第５のチャネルを実質的に導電性にするように前記第３の制御信号、前記第４の制御信号、および前記第５の制御信号を提供するときに、前記第３の減衰レベルよりも大きい第４の減衰レベルだけ、前記入力信号を減衰させるように構成される、請求項５に記載の可変減衰器。
【請求項７】
前記スイッチ制御回路は、デジタル制御信号を受信するためのマルチビット入力をさらに備え、前記スイッチ制御回路は、前記デジタル制御信号の値に基づいて前記第１の制御信号、前記第２の制御信号、前記第３の制御信号、前記第４の制御信号、および前記第５の制御信号を提供するように構成される、請求項６に記載の可変減衰器。
【請求項８】
可変減衰器を含む電子回路であって、前記可変減衰器は、
該可変減衰器の第１の入力端子と第１の出力端子との間で互いに並列に結合されている第１の複数の電流路を有する第１の可変抵抗回路であって、前記第１の複数の電流路のうちの第１の電流路は、
前記第１の入力端子と前記第１の出力端子との間で互いに直列に結合されている２つの第１の抵抗器と、
前記２つの第１の抵抗器のうちの一方に跨るように結合されている第１のチャネルを有する第１のスイッチとを含む、前記第１の可変抵抗回路と、
前記第１の入力端子に結合されている第１の端子、および第１の中間ノードに結合され
ている第２の端子とを有する第２の抵抗器と、
前記第１の出力端子に結合されている第１の端子、および前記第１の中間ノードに結合されている第２の端子を有する第３の抵抗器と、
前記第１の中間ノードに結合されている第１の端子、および電圧基準端子に結合されている第２の端子を有する第２の可変抵抗回路と、を備える、電子回路。
【請求項９】
前記第１の複数の電流路は、
第２のチャネルと、前記第１の入力端子に結合されている第１の導電端子と、前記第１の出力端子に結合されている第２の導電端子とを有する第２のスイッチを含む第２の電流路をさらに備える、請求項８に記載の電子回路。
【請求項１０】
前記第１の複数の電流路は、
前記第１の入力端子に結合されている第１の端子、および、前記第１の出力端子に結合されている第２の端子を有する第３の抵抗器を含む第３の電流路をさらに備える、請求項９に記載の電子回路。
【請求項１１】
前記第２の可変抵抗回路は、
前記第１の中間ノードと前記電圧基準端子との間で互いに並列に結合されている第２の複数の電流路をさらに備える、請求項８に記載の電子回路。
【請求項１２】
前記第２の複数の電流路の各電流路は、
シャント抵抗器と、
前記シャント抵抗器と直列に結合されるチャネルを有するシャントスイッチと、を備える、請求項１１に記載の電子回路。
【請求項１３】
第１の制御信号を前記第１のスイッチの制御端子に提供するためのスイッチ制御回路をさらに備えており、前記第１の制御信号は、前記第１のチャネルの導電性と、前記第１の可変抵抗回路の実効抵抗と、前記可変減衰器によって提供される減衰レベルとに影響を与える、請求項８に記載の電子回路。
【請求項１４】
前記第１の可変抵抗回路、前記第２の抵抗器、前記第３の抵抗器、および前記第２の可変抵抗回路は前記可変減衰器の第１の段に含まれており、該第１の段は第１の数の減衰レベルを提供するように構成されており、前記可変減衰器は、
該可変減衰器の前記第１の段と直列に結合されている該可変減衰器の第２の段をさらに備え、該第２の段は第２の数の減衰レベルを提供するように構成されており、該可変減衰器の該第２の段は、
第２の入力端子と第２の出力端子との間で互いに並列に結合されている第２の複数の電流路を有する第３の可変抵抗回路と、
前記第２の入力端子に結合されている第１の端子、および第２の中間ノードに結合されている第２の端子を有する第４の抵抗器と、
前記第２の出力端子に結合されている第１の端子、および前記第２の中間ノードに結合されている第２の端子を有する第５の抵抗器と、
前記第２の中間ノードに結合されている第１の端子、および前記電圧基準端子に結合されている第２の端子とを有する第４の可変抵抗回路を含む、請求項８に記載の電子回路。
【請求項１５】
前記可変減衰器と直列に結合されている移相器であって、前記可変減衰器および該移相器が、位相シフトおよび減衰した信号を生成するように、入力信号を減衰させ、位相シフトを適用するようにそれぞれ構成される、前記移相器と、
前記位相シフトおよび減衰した信号を増幅するように構成される増幅器段と、をさらに
備える、請求項８に記載の電子回路。
【請求項１６】
電子回路が作動する方法であって、
前記電子回路への入力信号に対する所望の減衰レベルを示すデジタル制御信号を受信する工程と、
前記デジタル制御信号において示される前記所望の減衰レベルに基づいて第１の制御信号を生成する工程と、
前記第１の制御信号を可変減衰器の第１のスイッチの制御端子に提供する工程とを含み、該可変減衰器は、
該可変減衰器の入力端子と出力端子との間で互いに並列に結合されている第１の複数の電流路を有する第１の可変抵抗回路であって、前記第１の複数の電流路のうちの第１の電流路は、
前記入力端子と前記出力端子との間で互いに直列に結合されている２つの第１の抵抗器と、
前記２つの第１の抵抗器のうちの一方に跨るように結合されている第１のチャネルを有する前記第１のスイッチとを含み、前記第１の制御信号は、前記第１のチャネルの導電性と、前記第１の可変抵抗回路の実効抵抗と、該可変減衰器によって提供される減衰レベルとに影響を与える、前記第１の可変抵抗回路と、
前記入力端子に結合されている第１の端子、および第１の中間ノードに結合されている第２の端子を有する第２の抵抗器と、
前記出力端子に結合されている第１の端子、および前記第１の中間ノードに結合されている第２の端子を有する第３の抵抗器と、
前記第１の中間ノードに結合されている第１の端子、および電圧基準端子に結合されている第２の端子を有する第２の可変抵抗回路と、を含む、方法。
【請求項１７】
前記第１の可変抵抗回路は、第２のチャネルと、前記入力端子に結合されている第１の導電端子と、前記出力端子に結合されている第２の導電端子とを有する第２のスイッチを含む第２の電流路をさらに含み、前記方法は、
前記デジタル制御信号内で示されている前記所望の減衰レベルに基づいて第２の制御信号を生成する工程と、
前記第２の制御信号を前記第２のスイッチの制御端子に提供する工程とをさらに含み、前記第２の制御信号は、前記第２のチャネルの導電性と、前記第１の可変抵抗回路の前記実効抵抗と、前記可変減衰器によって提供される前記減衰レベルとに影響を与える、請求項１６に記載の方法。
【請求項１８】
前記第２の可変抵抗回路は、前記中間ノードと前記電圧基準端子との間で互いに並列に結合されている第２の複数の電流路を含み、前記第２の複数の電流路の各電流路は、シャント抵抗器と、該シャント抵抗器と直列に結合されているチャネルを有するシャントスイッチとを含み、前記方法は、
前記デジタル制御信号において示される前記所望の減衰レベルに基づいて複数の追加の制御信号を生成する工程と、
前記複数の追加の制御信号を前記シャントスイッチの制御端子に提供する工程とをさらに含み、前記追加の制御信号は、前記シャントスイッチの前記チャネルの導電性と、前記第２の可変抵抗回路の前記実効抵抗と、前記可変減衰器によって提供される前記減衰レベルとに影響を与える、請求項１６に記載の方法。
【請求項１９】
前記第１の可変抵抗回路、前記第２の抵抗器、前記第３の抵抗器、および前記第２の可変抵抗回路は前記可変減衰器の第１の段に含まれており、前記第１の段は第１の数の減衰レベルを提供するように構成されており、前記可変減衰器は、前記第１の段と直列に結合されており、第２の数の減衰レベルを提供するように構成される第２の段をさらに含み、
前記方法は、
前記デジタル制御信号において示される前記所望の減衰レベルに基づいて１つ以上の追加の制御信号を生成する工程と、
前記可変減衰器によって提供される前記減衰レベルに影響を与えるように、前記可変減衰器の前記第２の段に前記１つ以上の追加の制御信号を提供する工程と、をさらに備える、請求項１６に記載の方法。